(57)【要約】【課題】スポイト使用における薬液変質を防止することのできるスポイトホルダーを提供する。【解決手段】その一端にスポイト保持部を、他端に薬瓶への装着部を各々設けたことを特徴とする。【選択図】　　　図５
2004131172.tif 000002
【特許請求の範囲】
【請求項１】
その一端にスポイト保持部を、他端に薬瓶への装着部を各々設けたことを特徴とするスポイトホルダー。
【発明の詳細な説明】
【０００１】
【発明の属する技術分野】
この発明は、薬瓶にスポイトを付属保持させるためのスポイトホルダーに関する。
【０００２】
【従来の技術】
従来より、薬品等を少量用いる場合に、スポイトやピペットが多用されているが、スポイトに関しては専用のホルダーは見当たらない。
【０００３】
【発明が解決しようとする課題】
従来より、スポイト使用後はそのスポイトの内部に溶液が多少残るため、そのままにしておくと他のものに液が付着したり、スポイトの内部で乾燥し、固着するため、洗浄・乾燥して保管する必要があった。また、洗浄が不十分なまま他の溶液に使用した場合、化学反応により溶液が変質する恐れがあった。
以上のことから本来的には一つの薬瓶に対し一つのスポイトを専用として用いるべきである。
従来より便宜的に薬瓶の胴体部分に輪ゴムを巻きつけ、この輪ゴムにスポイトを挟み込む方法も取られてきたが、長期間使用していると輪ゴムが劣化して交換せねばならず、また輪ゴムの押圧にてスポイトが変形する恐れもあり、スマートな方法とはいえないものであった。また、この方法ではスポイト内部の液が滴下することもあった。ピペットに関しては専用のホルダーが用いられているが、サイズ的にスポイト使用には適していない。
本発明は、以上のような従来からのスポイト保持手段に関わる課題を解決するために発明されたもので、スポイト専用のホルダーを設けることで簡便なるスポイト使用を可能とするべく開発されたものである。
【０００４】
【課題を解決するための手段】
課題を解決する手段として本発明は、スポイト保持部と装着部を各々設けてその主要部を構成した。
すなわち、その一端にスポイト保持部を、他端に薬瓶への装着部を各々設ける。
本発明は以上の構成よりなるスポイトホルダーである。
【０００５】
【発明の実施の形態】
本発明を使用するには、まず装着部を薬瓶適所に装着し、この状態でスポイト保持部は薬瓶に対して水平に位置するので、スポイト保持部内にスポイトを保持させる。スポイト使用時はスポイト保持部からスポイトを抜き取って使用する。
使用後は元の位置にスポイトを位置させる。このように本発明では薬瓶とスポイトは１対１の対応となり、その薬瓶に対する専用のスポイトとして使用することができる。
【０００６】
【実施例】
以下、本発明の実施例について説明する。
図１〜図２は本発明の第１実施例である。
１は環状のスポイト保持部、２は円弧状内側面を有する湾曲アーム状の装着部、３はスポイト保持部と装着部を連結している連結部で、以上の各部は合成樹脂にて一体に形成される。
本例を使用するには、図５に示すように薬瓶の首部に装着部を挿入挟持させる。
装着部内径は薬瓶の首部外径に近似のサイズであり、合成樹脂の弾力にて、挿入時に装着部アーム先端部間距離は少し押し広げられ、挿入後はもとのサイズに復元して薬瓶に挟持される。そして、スポイト保持部にスポイトを保持させる。
スポイトの上部は中央部に比べて膨大しており、この膨大部分がスポイト保持部上方に位置して保持される。スポイト使用時はスポイト保持部よりスポイトを引き上げて使用し、使用後は該保持部に再び保持させる。
このように、本例では１本の薬瓶に対して１本のスポイトが対応し、専用のスポイトとして簡便に使用することができる。
【０００７】
図３〜図４は本発明の第２実施例である。
本例は、適宜長適宜外径の主筒体４の下部に、有底の副筒体５を嵌入係止させ、以上の筒体上部を前例のスポイト保持部内に嵌入係止させ、この筒体内にスポイトを位置させて使用するものである。
本例では、有底筒体内にスポイトが位置するため、使用後のスポイト内溶液の滴下を防ぐことができる。また、筒体を主筒体と副筒体を組み合わせているため、主筒体より副筒体を取り外して容易に洗浄することができる。なお、副筒体内底部にガーゼや脱脂綿を入れておくことにより、スポイト内の残液を吸収することができる。なお、本例では筒体をスポイト保持部に嵌入させるものとしたが、双方を一体に形成してもよい。
図７〜図８は第３実施例である。
本例はホルダー全体を細金属線にて第１実施例と同様の形状に形成したもので、より簡便なる使用を目的としたものであり、機能および使用法は第１実施例と同じである。なお、スポイト保持部は欠損部を有する略環状としており、スポイトサイズに合わせてこの保持部を変形させることが可能である。
【０００８】
図１０〜図１１は第４実施例である。図において、９は薬瓶外径と同一の曲率半径を有する湾曲板体、１０は粘着層である。
既述の例が薬瓶の首部に装着するものであったが、本例は薬瓶の胴体部適所に粘着させてホルダーを固定するもので、スポイト保持部の形状は第１実施例と同じである。
図１３〜図１４は第５実施例である。
本例は市販の結束具を用いて薬瓶に装着させる例である。
図において、１１は結束具保持部で、その一側面は薬瓶外径と同一の曲面を有し、貫通孔１２を有している。１３は結束具で、柔軟性および弾力性を有する合成樹脂製の細長板状体であり、その内側面には多数の線状凸部が連設されている。
また、その一端には貫通孔を有する膨大部１４が形成され、この貫通孔内に舌片が斜方に形成されている。従って、結束具の一端をこの膨大部内貫通孔に通すと、舌片が線状凸部にかみ合って結束具によるループ径が小さくなる方向は抵抗が少なく、逆に大きくなる方向には抵抗が大きくなって、ループ径の増大を防ぐ仕組みのものである。
本例の使用時は、まず結束具の一端を膨大部に少し通し、薬瓶の胴体部外方に位置させ、結束具のループを絞って小さくしていき、薬瓶とこの結束具が押圧状体とさせることでしっかりと装着される。この状態でスポイト保持部は既述の例と同様に薬瓶に対して水平に位置し、スポイトを保持させることができる。
なお、第４および第５実施例では薬瓶の胴体部適所にホルダーを装着することができるため、スポイトの上下位置を任意に定めることができる。
【０００９】
本発明の概要については既述したが、各実施例においてスポイト保持部を環状もしくは略環状に形成したので、スポイトの保持・非保持が容易に選択することができる。また、装着部は挟持（薬瓶の首部又は胴体部）または粘着の方法を用い、状況に応じた選択が可能である。
本発明はホルダーを用いることによって、薬瓶とスポイトを１対１の対応、つまりその薬瓶専用のスポイトとして使用できるところにその特徴がある。
従来は、複数の薬瓶に対して１本のスポイトを用いたり、あるいは薬瓶とスポイトとが関連づけられていないため、スポイト使用後は残留薬液を除去するため、スポイトを洗浄する必要があった。この洗浄が不十分であると他の薬瓶に対して使用した場合、薬液が混ざり合うこととなって化学的変質の恐れがあった。
しかるに本発明では、１本の薬瓶に対し１本の専用スポイトを用いるため、上記した従来手段にて生ずる種々の課題を解決することができるのである。
なお、各実施例にて示した保持部の形状は近似の他の形状を用いてもよく、装着部についても同様である。既述の実施例において、主筒体および副筒体を用いる例以外の場合は、スポイト使用後にそのスポイトの先端をガーゼ等でふき取る必要がある。また、この主副の筒体は第２実施例以外の場合にもホルダーと組み合わせて使用することができる。
以上のごとく、本発明によって種々の利点を持つスポイトホルダーを得ることができる。
【００１０】
【発明の効果】
本発明によれば、１本の薬瓶に対し１本のスポイトを専用として使用することとなり、他液混合による薬液の変質を防ぐことができる。また、スポイトはスポイト保持部内に保持されるため、簡単に引き出して使用することのできる有用かつ新規なるスポイトホルダーを提供することができる。
【図面の簡単な説明】
【図１】本発明の第１実施例の平面図
【図２】本発明の第１実施例の正面図
【図３】本発明の第２実施例に用いる筒体の平面図
【図４】本発明の第２実施例に用いる筒体の正面図
【図５】本発明の第１実施例の使用状態図
【図６】本発明の第２実施例の使用状態図
【図７】本発明の第３実施例の平面図
【図８】本発明の第３実施例の正面図
【図９】本発明の第３実施例の使用状態図
【図１０】本発明の第４実施例の平面図
【図１１】本発明の第４実施例の正面図
【図１２】本発明の第４実施例の使用状態図
【図１３】本発明の第５実施例の平面図
【図１４】本発明の第５実施例の正面図
【図１５】本発明の第５実施例の使用状態図
【符号の説明】
１　スポイト保持部
２　装着部
３　連結部
４　主筒体
５　副筒体
６　スポイト保持部
７　装着部
８　連結部
９　湾曲板体
１０粘着層
１１結束具保持部
１２貫通孔
１３結束具
１４膨大部
２０スポイト
２１薬瓶
【図１】
2004131172.tif 000003
【図２】
2004131172.tif 000004
【図３】
2004131172.tif 000005
【図４】
2004131172.tif 000006
【図５】
2004131172.tif 000007
【図６】
2004131172.tif 000008
【図７】
2004131172.tif 000009
【図８】
2004131172.tif 000010
【図９】
2004131172.tif 000011
【図１０】
2004131172.tif 000012
【図１１】
2004131172.tif 000013
【図１２】
2004131172.tif 000014
【図１３】
2004131172.tif 000015
【図１４】
2004131172.tif 000016
【図１５】
2004131172.tif 000017